(57)【要約】本デバイスは海の波から電気エネルギーを得る発電に適用される。波力発電ステーションは所定数のエネルギー受容モジュールをもつエネルギー受容シャフトが付属する発電機を備え、該モジュールは連続して互いに結合し共通のプラットフォームに固定され、各エネルギー受容モジュールはシャフト(8)に付属されたフライホイール(10)を備え、シャフトと滑車(7)がプラットフォームにベアリング体(6)を介して固定され、滑車には爪歯止(16)と係合する爪車のギア(13)が取り付けられ、爪歯止はプラットフォームに付属し電磁石(11)が結合し、爪車のギア(13)にはシャフト(08)に付けられた爪車のギア(14)と係合する爪歯止(15)が付属する。滑車(07)にはロープが巻かれ、その一端は入り口が広がり波の前面に面する保護チャンバー(01)内に配置されたオペレーティングフロート(02)にｎ倍の滑車組（03）を経て繋がれ、他端は平衡おもり(05)に繋がれる。
2011501008.tif 000002
【特許請求の範囲】
【請求項１】
発電機を備え、発電機にはエネルギー受容シャフトが取り付けられており、該シャフトは多数のエネルギー受容モジュールを備えており、該モジュールは連続して互いに結合して共通のプラットフォームに固定されており、各々のエネルギー受容モジュールはフライホイール/10/を備えており、フライホイールはシャフト/8/に取り付けられており、シャフトはプラットフォームにベアリング体/6/を介して固定され、滑車/7/がベアリングを介してシャフトに結合されており、滑車には爪歯止/15/が取り付けられていて、爪歯止は爪車のギア/14/と係合しており、該ギアはモジュールのシャフトに取り付けられており、滑車にはロープが巻かれていて、ロープの一端はオペレーティングフロートに繋がれていて、他端は平衡おもりに繋がれていて、滑車/07/には爪車のギア/13/が取り付けられていて、ギアは爪歯止/16/と係合しており、爪歯止はプラットフォームに固定され電磁石が結合している、ことを特徴とする波力発電ステーション。
【請求項２】
ｎ倍の滑車組/03/を介してオペレーティングフロート/02/が滑車/07/に巻かれたロープに繋がれていることを特徴とする請求項1記載の波力電力ステーション。
【請求項３】
空中に吊られたオペレーティングフロート/02/を解放する電磁石/11/の操作のためのモーメントがロジカルコントロールユニット/09/によって決定されることを特徴とする請求項1記載の波力発電ステーション。
【請求項４】
オペレーティングフロート/02/が保護チャンバー/01/内に配置され、該チャンバーの入り口が広がっていて波の前面に面していることを特徴とする、請求項1記載の波力発電ステーション。
【発明の詳細な説明】
【技術分野】
【０００１】
本発明は海の波からエネルギーを得ることに関する。
【背景技術】
【０００２】
海の波からエネルギーを得るための著しく多量のデバイスが公知である。それらの全ては（例外を除けば）、波の運動エネルギーを変換しようとするものである（非特許文献１、２、３）。それらのうちの一つは海の波からエネルギーを得るためのデバイスであって、発電機を備え、発電機にはエネルギー受容シャフトが取り付けられており、該シャフトはエネルギー受容モジュールを備えており、該モジュールは連続して互いに結合して相互に所定の距離を以って配置され共通のプラットフォームに固定されており、各々のエネルギー受容モジュールはフライホイールを備えており、フライホイールはプラットフォームにベアリング体を介して固定されているシャフトに取り付けられており、滑車がベアリングを介してシャフトに結合されており、滑車には爪歯止が取り付けられていて、爪歯止は爪車のギアと係合しており、ギアはシャフトに取り付けられていて、滑車にはロープが巻かれていて、ロープの一端はオペレーティングフロートに、そして他端は平衡おもりに繋がれている。
【先行技術文献】
【非特許文献】
【０００３】
【非特許文献１】M. McCormik "OCEAN WAVECONVERSION", New York, 1981
【非特許文献２】Eng., PhD Stefka Kanturska "Theenergy of sea waves is transformed into electricity", "Marineworld" magazine, February 2004
【非特許文献３】"ECOWATT TECHNOLOGIES",www.b2b.bg
【発明の概要】
【発明が解決しようとする課題】
【０００４】
これまでに公知のデバイスの欠点は、発電機から得られるエネルギーが海の波の自然のダイナミクスに相当していて、ポテンシャルにおいて低く（変換せずに）直接には使いものにならないことである。
【課題を解決するための手段】
【０００５】
海の波のエネルギーの効率的な利用のためのタスクが本発明の波力発電ステーションにより解決され、該ステーションは発電機を備え、発電機にはエネルギー受容シャフトが取り付けられており、該シャフトは所定数のエネルギー受容モジュールを備えており、該モジュールは連続して互いに結合して相互に所定の距離を以って配置され共通のプラットフォームに固定されており；各々のモジュールはフライホイールを備えており、フライホイールはシャフトに取り付けられており、シャフトはプラットフォームにベアリング体を介して固定され、滑車がベアリングを介してシャフトに結合されており、滑車には爪歯止が取り付けられていて、爪歯止は爪車のギアと係合しており、ギアはモジュールのシャフトに取り付けられている。滑車には爪車のギアが取り付けられていて、ギアは爪歯止と係合しており、爪歯止はプラットフォームに取り付けられ電磁石に結合されていて、滑車にはロープが巻かれていて、ロープの一端はｎ倍の滑車組（polyspast）を経て保護チャンバー内に配置されたオペレーティングフロートに繋がれていて、他端は平衡おもりに繋がれている。電磁石のモーメントはロジカルコントロールユニットによって決定され、該ユニットは保護チャンバー内の最低水位を評価しており、保護チャンバーの入り口は広がっていて波の前面に面している。
【発明の効果】
【０００６】
本発明の利点はそのアイデアであって、それは従来公知の方法：すなわち、海の波がもつ位置エネルギーの利用（フロートによって置き換えられた水の重量と等しい重量の該フロートを上昇させること）であり、所定の密度をもつ環境（水）にエネルギーが集積され、フロートを最高到達位に保持して下方で最低の水位に達するとこのフロートを解放する方法：とはまったく正反対である。本発明の方法では、異なる密度の環境（空気）において運動エネルギーの取得がなされる。効率的に取得されるエネルギーは従来公知のデバイスの利用によるものより著しい（数倍である）。さらに、滑車組を使用することにより、意外にも、エネルギー受容シャフトから得られる運動エネルギーが増大し、標準的な三相同期発電機が使用できるようになる。保護チャンバーの入り口が広がっていることにより、波の最高位に対する水位の相対的な増大がもたらされる。
【０００７】
本発明による例示的な装置を添付の図面にて開示する。
【図面の簡単な説明】
【０００８】
【図１】エネルギー受容モジュールの１つに沿ったエネルギー受容シャフトの断面図である。
【図２】２つの隣接するエネルギー受容モジュールの領域にあるエネルギー受容シャフトの縦断面図である。
【図３】２つのエネルギー受容モジュールの上面図である。
【発明を実施するための形態】
【０００９】
本発明の装置の例
波力発電ステーションは発電機を備え、発電機はエネルギー受容モジュールを有しており、該モジュールは連続して互いに結合して相互に所定の距離を以って配置され共通のプラットフォームに固定されており、各々のエネルギー受容モジュールはフライホイール／10／を備えており、フライホイールはシャフト／8／に取り付けられており、シャフトはプラットフォームにベアリング体／6／を介して固定され、滑車／7／がベアリングを介してシャフトに結合されており、滑車には爪歯止／15／が取り付けられていて、爪歯止は爪車のギア／14／と係合しており、ギアはモジュールのシャフトに取り付けられている。滑車／07／には爪車のギア／13／が取り付けられていて、ギアは爪歯止／16／と係合しており、爪歯止はプラットフォームに取り付けられ、電磁石／11／が結合されていて、滑車にはロープが巻かれていて、ロープの一端はｎ倍の滑車組／03／を経て保護チャンバー／01／内に配置されたオペレーティングフロート／2／に繋がれていて、他端は平衡おもり／05／に繋がれている。空中に吊られたオペレーティングフロート／02／を解放する電磁石／11／のモーメントはロジカルコントロールユニット／09／によって決定され、該ユニットは保護チャンバー／01／内の最低水位を評価しており、保護チャンバーの入り口は広がっていて波の前面に面している。
【００１０】
波力発電ステーションは下記の如く動作する：海面が静かな場合、全てのモジュールのオペレーティングフロートは水中に完全に沈んでいる。それらに繋がれているロープは、平衡おもりの作用の結果としてしっかりと伸ばされている。システムは動かずにバランスをとっている。波が生じる場合、第１の保護チャンバー内の水位が上昇する。それに伴い、オペレーティングフロート/02/が上昇する。平衡おもりの影響下で、滑車/07/が回転し、滑車組を介してロープが巻かれる。この動きを、２つの爪ギア/13-16および14-15/は阻害しない。最大に達した後、水準が下がり始める。オペレーティングフロート/02/が下がろうとするが、係合する爪歯止によって阻止され、該フロートは空中に吊られたままになる。次いで、引き続き、残ったモジュールに波が達し、該モジュールは同様に作用する。第１のモジュールの保護チャンバー/01/内の水位が最小に達した後に、ロジカルコントロールユニット/09/から作動の信号がその電磁石/11/に送られる。それにより爪歯止/16/が引き出されて所定時間そのポジションに維持される。自由落下体として、オペレーティングフロート/02/が落下する。滑車/07/から滑車組を介してロープが解かれ、滑車が回転する。滑車/07/の回転速度がエネルギー受容シャフトと等しい場合は、爪歯止/15/が爪車のギア/14/と係合して集積された位置エネルギーがエネルギー受容シャフト（発電機）に転送される。それと同時に、平衡おもり/05/に繋がれたロープが、滑車/07において巻かれる。オペレーティングフロート/02/が水中に沈むと、その速度とロープのスピードがそれぞれ低下し、ロープが滑車/07/から解かれ、爪歯止/15/と爪車のギア/14/との係合が解かれる。フライホール/10/に集積されたエネルギーの作用のもとで、エネルギー受容シャフトが回転し続ける。同時に、次のモジュールの保護チャンバー/01/内の水位が最低水準に達し、その電磁石/11/がロジカルコントロールユニット/09/から作動のシグナルを受ける。このようにして、発電機は継続的な回転トルクを獲得する。
【産業上の利用可能性】
【００１１】
本発明の波力発電ステーションは：
Ａ．沿岸部に構築して波のエネルギーを利用してもよいし、
Ｂ．石油採掘装置において構築してもよいし、
Ｃ．適切な場所、エネルギー取得プラットフォーム、エネルギー取得パークに固定されたフローティングに構築してもよい。
【図１】
2011501008.tif 000003
【図２】
2011501008.tif 000004
【図３】
2011501008.tif 000005
【国際調査報告】
2011501008.tif 000006